(57)【要約】  本発明は、タバコ６の群、開放位置と閉じ位置の間及び閉じ位置と開放位置の間で可動な蓋７を有する外箱２、タバコ６の群の周りに巻き付けられ外箱７の内側に収納される内ラッパー３、及び内ラッパー３を開放する位置と内ラッパー３を閉じる位置との間で可動なラベル５を有するタバコパケット１において、タバコパケット１は、ラベル５と蓋７の間の接着材料の層１７と、接着材料の層１７の上部の上に少なくとも部分的に位置する除去可能な舌部１８とを有し、蓋７は、舌部１８が接着材料の層１７から取り外された後に、接着材料の層１７によりラベル５に接続可能である、タバコパケットに関する。【選択図】図３
2016505458.tif 000002
【特許請求の範囲】
【請求項１】
タバコ（６）の群、開放位置と閉じ位置の間及び閉じ位置と開放位置の間で可動な蓋（７）を有する外箱（２）、前記タバコ（６）の群の周りに巻き付けられ前記外箱（７）の内側に収納される内ラッパー（３）、及び前記内ラッパー（３）を開放する位置と内ラッパー（３）を閉じる位置との間で可動なラベル（５）を有するタバコパケット（１）において、
前記タバコパケット（１）は、前記ラベル（５）と前記蓋（７）の間の接着材料の層（１７）と、前記接着材料の層（１７）の上部の上に少なくとも部分的に位置する除去可能な舌部（１８）とを有し、前記蓋（７）は、前記舌部（１８）が前記接着材料の層（１７）から取り外された後に、前記接着材料の層（１７）により前記ラベル（５）に接続可能であることを特徴とするパケット。
【請求項２】
前記蓋（７）は前壁（２３）を有し、前記舌部（１８）は蓋（７）が閉じ位置にある時、少なくとも部分的に蓋（７）の前記前壁（２３）の下に位置することを特徴とする請求項１に記載のパケット。
【請求項３】
前記ラベル（５）は、包装材料からなる少なくとも２つの層（１５、１６）を有し、その第１の層（１５）は前記タバコ（６）の群の外側にあり、その第２の層（１６）はタバコ（６）の群の内側にあり、前記接着材料の層（１７）は、前記第１の層（１５）と前記第２の層（１６）の間に挟まれていることを特徴とする請求項１又は２に記載のパケット。
【請求項４】
前記ラベル（５）は、少なくとも前記第１の層（１５）のための切断ライン（１９）を有し、前記舌部（１８）はラベル（５）の第１の層（１５）の一部分であり、前記切断ライン（１９）は前記舌部（１８）の端縁部の少なくとも一方を形成することを特徴とする請求項３に記載のパケット。
【請求項５】
前記接着材料の層（１７）は、前記蓋（７）の前壁に向かって方向付けられた前記ラベル（５）の面（５ｂ）の上に位置し、前記舌部（１８）はパケット（１）が閉じられた際には少なくともその一部が前記外箱（３）の外側に延びることを特徴とする請求項２に記載のパケット。
【請求項６】
前記舌部（１８）は少なくとも一部分がそれ自体に折り畳まれ、前記接着材料の層（１７）に固定するための面（２６）と、前記面（２６）とは反対側に位置する摘みタブ（２０）とを形成し、前記摘みタブ（２０）はパケット（１）が閉じられた際に前記外箱（３）の外側に延びることを特徴とする請求項５に記載のパケット。
【請求項７】
前記舌部（１８）の前記摘みタブ（２０）は、パケット（１）が伸びるその長手方向に平行な状態で前記外箱（３）の外側に延びていることを特徴とする請求項６に記載のパケット。
【請求項８】
前記蓋（７）はその前壁（２３）に成形スロット（２２）を有し、前記舌部（１８）は前記成形スロット（２２）を介してアクセス可能であることを特徴とする請求項５〜７のいずれか一項に記載のパケット。
【請求項９】
前記蓋（７）は、少なくともその側壁（３２）に開口部（３１）を有し、前記タブ（２０）は前記開口部（３１）を介してパケット（１）の外側へと延びていることを特徴とする請求項６に記載のパケット。
【請求項１０】
前記タバコパケット（１）は熱可塑性材料からなる外ラッパー（２８）に包まれ、前記外ラッパー（２８）には前記ラベル（５）の舌部（１８）の摘みタブ（２０）に接続された開口舌部（２９）が設けられ、前記外ラッパー（２８）の舌部（５）の除去により前記ラベル（５）の舌部（１８）も同時に除去されることを特徴とする請求項５〜９のいずれか一項に記載のパケット。
【請求項１１】
前記タバコパケット（１）は熱可塑性材料からなる外ラッパー（２８）に包まれ、前記ラベル（５）の舌部（１８）の摘みタブ（２０）は、少なくとも部分的に前記外ラッパー（２８）に接続され、前記外ラッパー（２８）の除去により前記ラベル（５）の舌部（１８）も同時に除去されることを特徴とする請求項５〜９のいずれか一項に記載のパケット。
【発明の詳細な説明】
【技術分野】
【０００１】
本発明はタバコのパケットに関する。より具体的には、本発明は目的として、タバコのための硬質ヒンジ蓋付きパケットを有している。
【背景技術】
【０００２】
硬質のヒンジ式蓋付きタバコパケットは、製造がシンプルで使用が容易かつ実用的であり、そこに含まれるタバコへの機械的保護が良好であるという理由から、現在市場で最も普及したタイプのタバコのパケットである。
【０００３】
巻きタバコを構成する刻みタバコを保護するために、内ラッパーがタバコ群の周りに配置された不透過性の包装材料シートを有するようなタバコパケットが知られている。
【０００４】
内側の包装シートにはタバコを取り出すための開口部を備えており、その開口部は再密閉可能なラベルによって開閉可能になっている。
【０００５】
より正確には、ラベルは、タバコが内ラッパーから取り出された後、何度も再密封することを可能にする接着材料のストリップを有する。
【０００６】
再密閉可能なラベルを用いて再び閉じることのできる内ラッパーを有するタバコパケットの継続発展は、消費者が好ましい方法で内ラッパーを開閉できる、言わば“カスタマイズ”可能なタバコパケットの生産に益々の焦点を絞り込んでいる。
【０００７】
このことは、一部の消費者においては、既に開放されたパケット内部のタバコの保護に関して他の消費者よりも神経を使っているという事実によって説明できる。
【先行技術文献】
【特許文献】
【０００８】
（原文に記載なし）
【発明の概要】
【発明が解決しようとする課題】
【０００９】
本発明の目的は、再び密閉可能なラベルを伴い、消費者の裁量に応じて直接または間接的に開閉可能な内ラッパーを有するタバコパケットを提供することにある。
【課題を解決するための手段】
【００１０】
本発明は、請求項のいずれかに記載されたタバコパケットを提供する。
【００１１】
本発明を、その非限定的実施形態を示す添付図面を参照しながら以下に説明する。
【図面の簡単な説明】
【００１２】
【図１】閉じ状態にある、本発明によるタバコパケットの第１実施形態を示す前方斜視図である。
【図２】除去可能な舌部を除去する際の、図１のタバコパケットを示した図である。
【図３】開放状態にある図１のタバコパケットを示した図である。
【図４】図２及び図３の詳細部を拡大した斜視図である。
【図５】閉じ状態にある、本発明によるタバコパケットの第２実施形態を示した前方斜視図である。
【図６】除去可能な舌部を除去する際の、図５のタバコパケットを示した図である。
【図７】開放状態にある図５のタバコのパケットを示した図である。
【図８】閉じ状態にある、本発明によるタバコパケットの第３実施形態を示した前方斜視図である。
【図９】除去可能な舌部を除去する際の、図８のタバコパケットを示した図である。
【図１０】閉じ状態にあるヒートシール材の外ラッパーを伴った、閉じた状態での図５のパケットを示す前方斜視図である。
【図１１】開放状態にある図１０のタバコのパケットを示した図である。
【図１２】閉じ状態にある、図１０のタバコパケットの変形実施形態を示した前方斜視図である。
【図１３】閉じ状態にあるタバコパケットの第４実施形態を示し、幾つかの部分を削除した状態の前方斜視図である。
【図１４】除去可能な舌部を除去する際の、図１３のタバコパケットを示した図である。
【図１５】閉じ状態にあるヒートシール材の外ラッパーを伴った、図１３のパケットを示す図である。
【図１６】開放状態にある図１５のタバコのパケットを示した図である。
【発明を実施するための形態】
【００１３】
図１〜図９を参照するに、参照番号１は、外箱２と、その箱２の内部に収容された内ラッパー３とを有する硬質タバコパケット全体を表わしている。
【００１４】
好ましくは、外箱２は硬いカードや板紙から作られる。
【００１５】
外箱２は、ヒンジ８に沿ってその箱２に接合される蓋７を有しており、同ヒンジは、蓋が箱２自体に対して開放位置と閉じ位置との間、及び閉じ位置と開放位置との間で回転するのを可能にしている。
【００１６】
パケット１が閉じ状態にある時、蓋７によって外箱２は、互いに平行でかつ対向する上壁９及び底壁１０と、互いに平行でかつ対向する２つの大側壁１１、１２と、互いに平行でかつ対向する２つの小側壁１３とを有する長方形の平行６面体の形をとる。具体的に言えば、大側壁１１、１２は、最も大きな広さを有してパケット１の前壁１と後壁１２を夫々、形づくるパケット１の壁である。
【００１７】
小側壁１３は、大側壁１１、１２を互いに接続してパケット１の側面１３を形づくる。
【００１８】
留意すべきは、蓋７が前壁２３を有し、それはパケット１の閉じ状態において結合してパケット１の前壁１を形成するということである。
【００１９】
前壁２３は、パケット１が閉じ状態にある時、内ラッパー３に対して方向づけられ、それと接触するような内側面２４を有する。
【００２０】
前壁２３は、蓋７の自由端を構成する下方端縁２５を有している。
【００２１】
蓋７は２つの側壁３２を有し、それらはパケット１が閉じ状態において結合してパケット１の夫々の側面１３を形成する。
【００２２】
添付図面に示された４つの実施形態では、パケット１は内フレームを持たないが、それによって、パケット１が内フレームを有するような、図示しない代替的な実施形態を排除するものではない。
【００２３】
パケット１は、内ラッパー３に包まれたタバコ６の一群を含んでいる。
【００２４】
その上部と前部に、内ラッパー３はタバコ６を取り出すための開口部４を有する。
【００２５】
ラベル５は内ラッパー３の開閉を可能にし、開口部４を介したタバコ６の取り出しを可能にする。
【００２６】
ラベル５は、再密閉可能な接着剤１４によって内ラッパー３に固定されている。具体的には、ラベル５は、タバコ６の群に向かって方向付けられた内側面５ａと、その内側面５ａの反対側にあって蓋７に向かって方向付けられた外側面５ｂとを有する。
【００２７】
ラベル５の内側面５ａは、その上に再密閉可能な接着剤１４を有する。
【００２８】
より具体的には、パケット１が閉じ状態にある時、接着剤１４は開口部４の上方前縁と前方端縁の周囲に配置される。
【００２９】
ここで留意すべきは、予めカットされた内ラッパー３の部分２７は、ラベル５の内側面５ａ上の接着剤１４に固定されており、ひいてはタバコ６を密閉しているということである。
【００３０】
パケット１が初めて開放される際には、特に図３と図７に示されたように、ラッパー３の部分２７がラベル５によって除去され、これにより内ラッパー３の開口部４を形成する。
【００３１】
ラベル５は除去可能な舌部１８を備える。
【００３２】
パケット１が閉じ状態にあるとき、舌部１８は少なくともその一部が蓋７の前壁２３の下に位置する。
【００３３】
好ましくは、舌部１８はラベル５の除去を簡単にする摘みタブ２０を有している。
【００３４】
パケット１の第１実施形態では、ラベル５は包装材料からなる少なくとも２つの層１５、１６を有し、タバコ６の一群に対して外側にある第１の層と内側にある第２の層は、図４に示すように、夫々ラベル５の外側面５ｂと内側面５ａを形成する。
【００３５】
接着材料からなる層１７は、第１及び第２の層１５、１６の間に挟まれている。
【００３６】
舌部１８は、両端縁部の一方を形成する少なくとも１本の切断ライン１９に沿ってラベル５から分離するという点で、除去可能なものとして定義される。より正確には、切断ライン１９はラベル５の第１の層１５を含んでいる。その結果、舌部１８は、少なくとも部分的に接着材料の層１７の上に位置する、第１の層１５の一部分によって形成される。実際において、舌部１８が除去されるとその下にある接着材料の層１７が露出する。
【００３７】
実際、舌部１８は切断ライン１９によってラベル５から得られる。
【００３８】
ここで留意すべきは、第１実施形態では、パケット１は閉じられた状態では、舌部１８と摘みタブ２０は、蓋７によって、より具体的にはその前壁２３によって隠されるということである。
【００３９】
従って、ラベル５から舌部１８を除去するために、消費者は蓋７を持ち上げなければならない。
【００４０】
好ましくは、パケット１の第１実施形態において、舌部１８は、パケット１の主要な長手方向伸びに横断する方向に沿って除去される。
【００４１】
またこれとは別に、パケット１の第２及び第３実施形態では、特にパケット１が閉じ状態にある時には、舌部１８は少なくともその一部分が外箱３の外側で延びる。より具体的には、舌部１８が蓋７の外側に延びる。
【００４２】
好ましくは、これらの実施形態では、接着材料の層１７は、蓋７の前壁２３に向かって方向付けられたラベル５の面５ｂ上に位置する。
【００４３】
より正確には、接着材料層１７はラベル５の外側面５ｂ上に位置する。
【００４４】
好ましいこととして、図５、図６及び図８で分かるように、蓋７を開くことなく舌部１８を除去できるように、舌部１８の内の少なくとも摘みタブ２０は蓋体７の外側に延びている。
【００４５】
摘みタブ２０は、蓋７の前壁２３の下端縁部２５から外箱３の外側に突出している。
【００４６】
具体的には、摘みタブ２０は蓋７の下端縁部２５からパケット１の底壁１０に向かって延びている。
【００４７】
舌部１８は少なくとも部分的にそれ自身の上に折り畳まれ、それによって舌部が接着材料層１７に固定される固定面２６を形成すると共に、摘みタブ２０はその固定面２６に対して反対側に位置するために、これらの実施形態では、舌部１８はパケット１を閉じ状態に保ちながら除去することが可能である。
【００４８】
実際には、摘みタブ２０は、固定面２６を含んだ舌部１８の残りの部分上で１８０度折り畳まれる。
【００４９】
好ましい点として、上記のように折り畳まれた舌部１８は、単純に摘みタブ２０を下方に引っ張ること、即ちパケット１の底壁１０に向けて図中矢印Ｆで示す方向に引っ張ることによって除去することができる。
【００５０】
換言すれば、舌部１８はパケット１の長手伸び方向に平行な方向に延びている。
【００５１】
図８及び図９を特に参照すると、パケット１の第３の実施形態では蓋７は、その部分を介して舌部１０の摘みタブ２０が突き出すような成形スロット２２を有している。
【００５２】
より正確には、成形溝２２は、それが消費者に見えるように蓋７の前壁２３に形成されている。
【００５３】
有利な点として、スロット２２があることで舌部１８の取り外しが更に容易になる。使用中、摘みタブ２０を介したラベル５から舌部１８の除去は、消費者自らの判断で行われる。
【００５４】
好ましい点として、舌部１８を除去するとその下にある接着材料の層１７がカバーを取られた状態になり、蓋７を同時に開閉することで内ラッパー３が開閉されるといったように、ラベル５が自動的に蓋７に接着するようになる。
【００５５】
接着材料層１７を介した蓋７とラベル５の接着を確実にするべく、消費者は蓋７の前壁２３それ自体を押すことも可能である。
【００５６】
このようにして蓋７の前壁２３の内側面２４は接着材料層１７に固定される。
【００５７】
従って、ラベル５に蓋７を接続する作業は、ラベルが内ラッパー３を閉じるような位置にラベル５がある時に実行される。
【００５８】
一旦、蓋７がラベル５に接続されたならば、図３、図７及び図９に示すように単純に蓋７に作用することで消費者は内ラッパー３を開閉することができるということに留意されたい。
【００５９】
蓋７とラベル５が確実に互いに固定されることを保証するために、接着材料層７と蓋７の前壁２３の内側面２４が互いに良い状態で接着し合うように、接着材料層１７の幅をパケット１の主要な長手方向伸びに対して定義しなければならないことに留意されたい。
【００６０】
万一、消費者がラベル５から舌部１８を削除しないことを決めたならば、消費者によってラベル５を取り外し、再密封することにより、内ラッパー３は手動で開閉することができる。
【００６１】
有利な点としては、上述のタバコパケット１は、消費者が好ましいとする内ラッパー３の開閉形態を決定できるという意味でカスタマイズ可能であるということである。
【００６２】
また、摘みタブ２０によって舌部１８を取り外すことと、接着材料層１７によって蓋７にラベル５を固定することは、単一の動作での内ラッパー３の開閉を可能にしている。
【００６３】
パケット１の第２及び第３実施形態の代わりとなるものとして、パケット１の図示しない実施形態として、その上に舌部１８を伴った形で接着材料層１７が、蓋７の前壁２３の内側面２４上に配置される。
【００６４】
図１０〜図１２を参照するに、パケット１は、熱可塑性材料からなる外ラッパー２８内に封入されている。
【００６５】
熱可塑性材料は好ましくはポリプロピレンである。
【００６６】
具体的に言えば、図１０及び図１１に示すように、外ラッパー２８は、舌部１８の摘みタブ２０に接続された開口舌部２９を有している。
【００６７】
好ましくは、開口舌部２９は、糊ベースの接着剤３０によって舌部１８の摘みタブ２０に接続される。
【００６８】
使用にあたっては、外ラッパー２８の舌部２９を取り除くことにより、同時にラベル５の舌部１８も除去される。
【００６９】
図１２を参照するに、ラベル５の摘みタブ２０は、少なくとも部分的に外ラッパー２８に接続されている。
【００７０】
図１２のパケット１の外ラッパー２８は開口舌部（図示せず）を有する。具体的には、図１０及び図１１に示したものとは異なり、その開口舌部は、部分的にも舌部１８の摘みタブ２０の上部にさえもない。
【００７１】
好ましくは、舌部１８の摘みタブ２０は、少なくともその一部が糊ベースの接着剤質３０によって外ラッパー２８に結合されている。使用にあたっては、外ラッパー２８を取り除くことにより、同時に、それに少なくとも部分的に結合されたラベル５の舌部１８もまた除去される。
【００７２】
外ラッパー２８とラベル５の舌部１８とが接続することで、パケット１の開放が更に容易になる。
【００７３】
ここで留意すべきは、舌部１８が外箱２の外側にはみ出している場合に限り、外ラッパー２８をラベル５の舌部１８に固定することが可能であるということである。
【００７４】
最後に、図１３及び図１４はパケット１の第４実施形態を示している。
【００７５】
具体的には、パケット１の第４実施形態は、図５及び図８に示した第２及び第３実施形態に代わるものとして捉えることができる。
【００７６】
実際には、舌部１８は、パケット１の長手伸び方向に横断する方向に延びている。
【００７７】
本実施形態においても、舌部１８は少なくとも部分的にそれ自身の上に折り畳まれて固定面２６を形成し、舌部はこれによって接着材の層１７に固定されると共に、摘みタブ２０は固定面２６とは反対側に位置する。
【００７８】
この場合、蓋７は舌部１８が挿入される開口部３１を有し、タブ２０はその開口部３１からパケット１の外側に向かって延びる。
【００７９】
具体的には、開口部３１は蓋７の側壁３２の内の一方に形成される。
【００８０】
好ましいこととして、上述したように折り畳まれた舌部１８は、図１４の矢印Ｆで示すように、パケット１の長手伸び方向に横断する方向に摘みタブ２０を、パケット１の側壁から離れて外側に単純に引っ張ることによって除去することができる。
【００８１】
図１５及び図１６は、熱可塑性材料からなる外ラッパー２８に包まれた図１３のパケットを示している。
【００８２】
外ラッパー２８には、舌部１８の摘みタブ２０に接続された開口舌部２９が設けられている。
【００８３】
好ましくは、開口舌部２９は、糊ベースの接着剤３０によって舌部１８の摘みタブ２０に接続される。
【００８４】
使用にあたっては、外ラッパー２８の舌部２９を取り除くことにより、同時にラベル５の舌部１８も除去される。
【００８５】
代替的に、ラベル５の摘みタブ２０は少なくとも部分的に外ラッパー２８に接続される。
【００８６】
以上述べたことは、鋭い端縁部を有するパケット１に当てはまるだけでなく、丸く面取りが施された端縁部を有するパケットにも当てはまることを留意されたい。
【図１】
2016505458.tif 000003
【図２】
2016505458.tif 000004
【図３】
2016505458.tif 000005
【図４】
2016505458.tif 000006
【図５】
2016505458.tif 000007
【図６】
2016505458.tif 000008
【図７】
2016505458.tif 000009
【図８】
2016505458.tif 000010
【図９】
2016505458.tif 000011
【図１０】
2016505458.tif 000012
【図１１】
2016505458.tif 000013
【図１２】
2016505458.tif 000014
【図１３】
2016505458.tif 000015
【図１４】
2016505458.tif 000016
【図１５】
2016505458.tif 000017
【図１６】
2016505458.tif 000018
【国際調査報告】
2016505458.tif 000019
2016505458.tif 000020
2016505458.tif 000021